(57)【要約】本発明は、普段には乗り心地を高めるためのシートカバーで使いながら乳児や子供が搭乗する場合には乳児シートに変形して使用するようにした乳児シート兼用自動車シートカバーが開示される。本発明は、クッション材が内蔵される座台シートと背中支えシートでなされるシートカバーの後方で自動車座席に固定するための座席固定手段を形成して自動車シートに固定されるようにして、シートカバーの両側には安全ベルトが装着されながら座台シートには隠し台が折畳みされる構造で形成されるようにして隠し台と安全ベルトを利用して乳児シートで使用できるようにして、このようなシートカバーの構造が衝撃が発生する場合にも安全ベルトと補強バンドによってシートカバーの損傷を防止しながらも衝撃を効率的に分散して負傷を防止するようにしたものである。【選択図】図１
2015521130.tif 000002
【特許請求の範囲】
【請求項１】
クッション材１１、２１が内蔵された座台シート１０と背中支えシート２０でなされて、その座台シート１０と背中支えシート２０を自動車座席に固定するための下部掛け口３１と後方掛け口３２でなされる座席固定手段３０が形成されて、前記座台シート１０には折畳み可能な構造でなされる隠し台４０が形成されながらその隠し台４０は掛け手段４１が形成されて、背中支えシート２０にはベンド掛け７０が形成されて肩着部５１と足支持部５２でなされながらバックル６０が形成された安全ベルト５０が隠し台４０の掛け手段４１とベンド掛け７０を通じて締結されながら乳児シートで使用することができるようになる乳児シート兼用自動車シートカバー。
【請求項２】
前記座台シート１０と背中支えシート２０は、中央部に形成されたシートクッション１２、２２の両側でシートクッション１２、２２より相対的に突き出されるようにクッション材が内蔵されたサイドクッション１３、２３が形成されて、搭乗者の乗り心地を高めながらも乳児や子供が搭乗時に身体両側を支持して左、右への流動を防止することができるようになることを特徴とする請求項１に記載の乳児シート兼用自動車シートカバー。
【請求項３】
前記隠し台４０は、足が両側で挟まれながらも腹部を保護できるように折畳み支持部４２と拡張部４３でなされて、前記座台シート１０は折畳み支持部４２と拡張部４３が挿入されることができるように隠し台４０の外郭ラインの形態で陷没部１４が形成されて大人が搭乗時に隠し台４０を折った状態で上部に突き出されることを最小化するようにしたことを特徴とする請求項１に記載の乳児シート兼用自動車シートカバー。
【請求項４】
前記座台シート１０と背中支えシート２０は、横バンド８１と縦バンド８２でなされる補強バンド８０が補強されて、シートに発生される衝撃を分散させて破れることを防止するようになることを特徴とする請求項１に記載の乳児シート兼用自動車シートカバー。
【請求項５】
前記補強バンド８０は、背中支えシート２０の下端部に横バンド８１が縫製されながら背中支えシート２０の両側で二つの縦バンド８２が縫製されて横バンド８１と縦バンド８２が安全ベルト５０と連結されて乳児や子供の身体全体を安全ベルト５０と補強バンド８０によって囲むようになって身体に伝達される衝撃を分散させるようになることを特徴とする請求項４に記載の乳児シート兼用自動車シートカバー。
【請求項６】
前記補強バンド８０は、背中支えシート２０の上端部に縦バンド８２をお互いに連結するように補助横バンド８３が縫製されて、縦バンド８２の上端には後方掛け口３２を装着するための調節紐３３が連結されることを特徴とする請求項５に記載の乳児シート兼用自動車シートカバー。
【請求項７】
前記補強バンド８０は、横バンド８１と隠し台４０をお互いに連結するように座台シート１０の下端に縫製される補助縦バンド８４をさらに含んでなされることを特徴とする請求項５に記載の乳児シート兼用自動車シートカバー。
【請求項８】
前記補助横バンド８３は、ポケット形態でなされて、その補助横バンド８３に芯材８３ａが挟まれて背中支えシート２０の折畳みを防止しながら形態を維持するようになることを特徴とする請求項６に記載の乳児シート兼用自動車シートカバー。
【請求項９】
前記ベンド掛け７０は、背中支えシート２０のシートクッション２２の中央に上、下で頭支えパッド２２ａが形成されて、その両側で複数の掛け金７１が上、下方向で多段でなされて体形によるベルトの高さ調節が可能になることを特徴とする請求項１に記載の乳児シート兼用自動車シートカバー。
【請求項１０】
前記掛け金７１は、折畳み可能な形態で背中支えシート２０に縫製されて、前記背中支えシート２０は横長方向に長く切開されたスロットホール２４が形成されて掛け金７１を埋め立てることができながらも選択的な露出が可能になるようになることを特徴とする請求項９に記載の乳児シート兼用自動車シートカバー。
【発明の詳細な説明】
【技術分野】
【０００１】
本発明は、大人や乳児が交替して車に搭乗する場合にも別に乳児用カーシートを設置する必要なしに大人や乳児両方が使用できるようにした乳児シート兼用自動車シートカバーに関するものである。
【背景技術】
【０００２】
一般に、自動車座席シートは、クッション材で製作される座台と背中支えで構成されるものであり、このような座席シートが外部に直接露出されないようにして損傷されることを防止するか、または夏季に背中に汗が滲むことを防止するために通風が円滑にさせるか、または搭乗者の体形に合わせながらもクッション材を内蔵して乗り心地をさらに高めるための目的など多様な目的でシートに被せて使用するシートカバーが使用される。
【０００３】
特に、このようなシートカバーは、座席シートの座台及び背中支えに対応されるようにそれぞれ座台シートと背中支えシートが形成されて座席にあげておいて使用するようになるが、このようなことの問題が乳児が搭乗する場合にはシートカバーをとり除いた後別途の乳児用カーシートを座席に設置して使わなければならないものである。
【０００４】
したがって、大人や乳児が交替しながら自動車に搭乗する場合に搭乗時ごとに装着されているシートカバーまたは乳児用カーシートをとり除かなければならないので使用が非常に煩わしく、したがって、大部分の乳児や子供がある家庭では乳児用カーシートを一度設置した後には脱去しないで常時装着した状態で車両を運行している途中必要時だけにカーシートを脱去して大人が搭乗するようにできるが、このような方式は乳児や子供を自動車に搭乗させなければ乳児用カーシートが装着された座席を使用することができないので搭乗人員が制限される問題があるものであり、子供が二人以上である場合に使用がさらに難しくなって、またこのようなカーシートは多くの嵩を占めるのでトランクに入れて保管するようになればトランク空間が狭小になっていざ必要な物品を収納することができなくなるものである。
【０００５】
それだけでなく、乳児用カーシートはその価格が非常に高価であることに比べてその使用期間が非常に短くて、特に、乳児や子供が成長した以後には他の用途で使用することができないし、保管上の理由で大部分再販売するか、または廃棄処分するようになるものである。
【０００６】
そして、安全事故を防止して事故を軽減させるために安全ベルトの使用を勧奨しているが、タクシーのような大衆交通を利用する場合には子供向けカーシートを具備することができないから一般シートに座らせてベルトを締めるようにすることになるが、乳児や子供の体形に合わないから実質的には安全手段が無用の物になるので、安全上に深刻な問題があるものである。
【発明の概要】
【発明が解決しようとする課題】
【０００７】
したがって、本発明は、自動車座席シートにシートカバーを使ってシートを保護しながらも乗り心地を高めるのはもちろん、このようなシートカバーを乳児用カーシートで使用可能にさせて乳児や子供の搭乗毎に乳児用カーシートをシートに別途で設置しなければならない煩わしさを解決して、タクシーのような大衆交通に搭乗する場合にも乳児や子供の体格に合うように安全手段を確保することができるようにしたものである。
【０００８】
また、このようなシートカバーを乳児用カーシートで使用する場合に安全ベルトの連結構造が事故発生時に発生される衝撃をカバーシート全体で分散してシートカバーの破れを防止することはもちろん、事故による衝撃が緩和されるようにしたものである。
【課題を解決するための手段】
【０００９】
したがって、本発明は、座台シートと背中支えシートでなされて自動車座席シートの上部にあげて使用するシートカバーにおいて、座台シートと背中支えシートにクッション材を内蔵してクッション機能を有するようにして、シートカバーの下部と後方にはそれぞれ下部掛け部と後方掛け部を形成し、自動車座台シートに形成された座台掛けがねと背中支え掛けがねにそれぞれ固定されるように装着してシートカバーが流動されないようにして、前記シートカバーの座台シートには隠し台を、背中支えカバーには安全ベルトをそれぞれ形成して安全ベルトが隠し台と共にバックルで固定されてシートカバーを乳児シートで使用できるようにしたものである。
【００１０】
また、前記座台シートと背中支えシートは、それぞれ中央部がシートクッションでなされるようにして、シートクッションの両側ではシートクッションより相対的に突き出されるようにクッション材が内蔵されながら緩衝機能を向上させたサイドクッションを形成して搭乗者の乗り心地を高めながらも乳児や子供の頭両側を支持して衝撃を緩和することができるようにしたものである。
【００１１】
また、前記隠し台はクッション材を内蔵しながら座台シートのシートクッションに隠し台の形態に合うように陷没部を形成して隠し台が陷没部に安着されてカーシートで使わない場合には隠し台を折った状態で上部に突き出されることを最小化するようにしたものである。
【００１２】
また、前記背中支えシートの後方に横バンドと縦バンドを縫製しながら横バンドには下部掛け部を、縦バンドには後方掛け部を連結して背中支えシートを補強して、その横バンドの両端には安全ベルトを連結して安全ベルトが隠し台を経由して縦バンドに再び連結されるようにすることで、乳児や子供が安全ベルトを着用すれば身体部位全体が安全ベルトとバンドで囲まれるように保護されながら事故時に発生される衝撃を全体で分散させるようにしたものである。
【発明の効果】
【００１３】
したがって、本発明は、常時自動車の座席シートにシートカバーを装着して通いながら必要時ごとに乳児用カーシートで使用するようにすることで乗り心地を高めて、乳児用カーシートを別に装着するか、または分解する煩わしさを解決することができるし、このような構造及び装着構造が簡単で製作及び使用が便利なだけでなく、解体して保管する場合にも嵩が小さくて保管が容易なものである。
【００１４】
また、自動車座席を広く活用することができるし、タクシーのような大衆交通にも常時装着して通うことができるので、事故時に乳児や子供を安全に保護することができるものである。
【図面の簡単な説明】
【００１５】
【図１】本発明のシートカバーの一実施例を示した斜視図である。
【図２】本発明のシートカバーの構造を示した平面図である。
【図３】本発明のシートカバーの構造を示した底面図である。
【図４】本発明のシートカバーの座席シート装着構造を示した斜視図である。
【図５】本発明のシートカバーが座席シートに装着された状態の斜視図である。
【図６】本発明の安全ベルトを締結時に安全ベルトと補強バンドの連結構造を示した概略図である。
【図７】本発明の隠し台の折畳み構造を示した斜視図である。
【図８】本発明のシートカバーを乳児シートで使用時に安全ベルトの締結構造を示した流れ図である。
【図９】本発明のシートカバーの安全ベルト装着状態を示した斜視図である。
【図１０】本発明の安全ベルト高く調節構造を示した斜視図である。
【図１１】本発明のベルト掛けの縫製構造を示した断面図である。
【図１２】本発明の補助横バンドに芯材が装着される状態の斜視図である。
【図１３】本発明の乳児シート使用状態図である。
【発明を実施するための形態】
【００１６】
本発明は、クッション材１１、２１が内蔵された座台シート１０と背中支えシート２０でなされて、その座台シート１０と背中支えシート２０を自動車座席に固定するための下部掛け口３１と後方掛け口３２でなされる座席固定手段３０が形成されて、前記座台シート１０には折畳み可能な構造でなされる隠し台４０が形成されながら、その隠し台４０は掛け手段４１が形成され、背中支えシート２０にはベンド掛け７０が形成されて肩着部５１と足支持部５２でなされながらバックル６０が形成された安全ベルト５０が隠し台４０の掛け手段４１とベンド掛け７０を通じて締結されながら乳児シートで使用することができるようになる乳児シート兼用自動車シートカバーを特徴とする。
【００１７】
本発明は、座台シート１０と背中支えシート２０でなされて自動車座席シートに装着して使用するシートカバー１であり、図１乃至図４に示されたようにシートカバー１の構造がクッション材１１、２１が内蔵された座台シート１０と背中支えシート２０でなされるようにして、その座台シート１０と背中支えシート２０が座席固定手段３０によって自動車座席に装着して使用できるようにしたものであり、座台シート１０には折畳み可能な隠し台４０を形成して乳児や子供が車に搭乗する場合にはその隠し台４０と安全ベルト５０をお互いに連結して乳児や子供の身体を囲むように結んで事故時の負傷を防止するようにして、大人が車に搭乗する場合にはその隠し台４０を折って一般シートで使用できるようにして、乳児用カーシートを座席に別に装着する必要なしに一つのシートカバー１として大人の乗り心地を高める用途で使用するか、または乳児の安全のための乳児シートで使用できるようにしたものである。
【００１８】
この時、前記座席固定手段３０は、背中支えシート２０の下端に下部掛け口３１を形成し、背中支えシート２０の上側では後方掛け口３２を形成して自動車シートに形成されている座台掛けがね１００と背中支え掛けがね２００にそれぞれ固定することでシートカバー１を座席に固定して使用できるようにして、この時前記後方掛け口３２は調節紐３３で連結して車種によるシートの高さによって後方掛け口３２の長さを調節して背中支え掛けがね２００にかけて固定できるようにすることが望ましいものである。
また、前記隠し台４０は足が両側で挟まれながらも腹部を保護できるように折畳み支持部４２と拡張部４３でなされる構造でなされるようにして、その折畳み支持部４２が座台シート１０の中央部に固定されて前方側に折畳みされるようにすれば、大人が搭乗する時は隠し台４０を前方で折って使って、乳児や子供が搭乗する時は隠し台４０を上部に持ち上げて安全ベルト５０を締結するようにしたものである。
【００１９】
また、その隠し台４０には掛け手段４１を形成することで安全ベルト５０を隠し台４０にかけて固定できるようにするものであり、この時前記安全ベルト５０は背中支えシート２０の両側下端にそのベンド掛け７０に固定されるようにすることが望ましいものである。
【００２０】
したがって、安全ベルト５０を締結すれば肩着部５１と足支持部５２でなされて乳児や子供の身体を安全に保護することができるようになるものであり、このような安全ベルト５０の固定はバックル６０を利用して左、右両側の安全ベルト５０がお互いに連結されながら乳児や子供の腹部を中心に放射形で固定される構造でなされるようにしたものである。
【００２１】
この時、前記バックル６０は、雌結合部６１ａが形成されたバックル本体６１と雄結合部６２ａが形成されたバックル補助体６２でなされて安全ベルト５０を左、右両側で挟んで締結できるようにして、このようなバックル６０が安全ベルト５０を締結する時に隠し台４０の掛け手段４１に掛けられた状態で締結されるようにすることが望ましいものである。
【００２２】
すなわち、前記バックル本体６１とバックル補助体６２のうちで何れか一つを選択してその外観形態に内入顎を形成して掛け手段４１に挿入されることができるようにすることでバックル６０を締結すれば、バックル６０が掛け手段４１にかかって任意に抜けることを防止することができるようになるし、安全ベルト５０が左、右に流動されないで締結された状態をそのまま維持できるようにしたものである。
【００２３】
併せて、前記隠し台４０が座台シート１０に折畳みされる時にその折畳みされる部分に対応される位置に隠し台４０の形状と同一な形態の陷没部１４を形成すれば、隠し台４０を折れば、大人がシートカバーで使用する場合に隠し台４０が上側で露出されることを最小化して搭乗した状態でかかることを防止することができるようになるものであり、また、このような隠し台４０にもクッション材を内蔵することで乳児シートで使用する場合に腹部保護は勿論、一般シートカバーで使用する場合にも座台シート１０の着心地を増加させることができるようになるものである。
【００２４】
そして、この時前記隠し台４０と陷没部１４にはお互いに対応されるように脱着手段４４を形成すれば、隠し台４０を折って成人向けシートカバーで使用する場合に折られた状態で隠し台４０が任意に流動されることを防止することができるようになることで、この時脱着手段４４はスナップボタンやジッパーなどで形成することができるが、一番望ましくは本発明の図面に示されたように隠し台４０と陷没部１４にお互いに対応されるようにベルクロファスナーを付着して簡単に脱付着することができるようにすることが望ましいものである。
【００２５】
一方、前記座台シート１０と背中支えシート２０は、中央部に形成されたシートクッション１２、２２の両側でシートクッション１２、２２より相対的に突き出されるようにクッション材が内蔵されたサイドクッション１３、２３を形成すれば、大人がシートカバーで使用する場合に搭乗者の乗り心地を高めながらも乳児や子供が乳児シートで使用する場合に身体の両側を支持して左、右への流動を防止できるようにしたものである。
【００２６】
そして、前記座台シート１０と背中支えシート２０は、原緞が織物または皮でなされるが、衝撃が発生する場合に原緞の破れや損傷を防止するために補強バンド８０を縫製すれば、車両事故によって衝撃が発生する場合にシートカバー１に伝わる衝撃を補強バンド８０で分散して原緞が破れるか、または損傷されることを防止しながら乳児シートで使用する場合にも乳児や子供が飛び出ることを防止して安全に保護することができるようになるものである。
【００２７】
この時、補強バンド８０の構造は、背中支えシート２０に横バンド８１と縦バンド８２をお互いに交差されるように形成することで、衝撃が発生される場合にその衝撃をシート全体で分散することができるようになるものであり、このような横バンド８１と縦バンド８２の構造は、図３及び図４に示されたように背中支えシート２０の下端部に横バンド８１を縫製しながら背中支えシート２０の両側で二つの縦バンド８２を縫製して横バンド８１と縦バンド８２架橋形成されながらもシートの破れることを防止することができるようにしたものであり、さらに望ましくは、その補強バンド８０が安全ベルト５０と連結される構造でなされるようにすれば、乳児シートで使用時に乳児や子供の身体全体を安全ベルト５０と補強バンド８０によって囲むようになりながら身体に伝達される衝撃を分散させることができて事故による衝撃を最小化することができるようになるものである。
【００２８】
すなわち、図６に示されたように背中支えシート２０の下端に形成される横バンドの両端に安全ベルトを連結して安全ベルトが隠し台を経由して縦バンドに再び連結されるようにすることで、乳児や子供が安全ベルトを着用すれば、身体部位全体が安全ベルトとバンドで囲まれるように保護されながら事故時に発生される衝撃を全体で分散させるようにしたものである。
【００２９】
この時、前記背中支えシート２０の両側に形成される縦バンド８２の上端部に後方掛け口３２が装着される掛け紐３３が連結されるようにすれば、自動車座席とさらに緊密に連結されながらも衝撃発生時に背中支えシート２０が前方に向けるようになることを防止することができるようになるものであり、このような二つの縦バンド８２の上端を補助横バンド８２を縫製してお互いに連結すれば、補強力をさらに向上させることができるようになるものである。
【００３０】
また、このような補助横バンド８２をポケット形態で形成して、その内部に金属板のように硬度が高い材質の芯材８３ａを挟むことで、背中支えシート２０が縦で折られることを防止しながら背中支えシートの形態を維持するようにすることが望ましいものである。
また、前記横バンド８１と隠し台４０をお互いに連結するように座台シート１０の下端に補助縦バンド８４を縫製すれば、その衝撃分散効果をさらに向上させることができるようになるものであり、この時、前記補助縦バンド８４を隠し台４０と連結して縫製するためには座台シート１０のシートクッション１２に切開ホール１２ａを形成し、その切開ホール１２ａを通じて補助縦バンド８４が引き出しされて隠し台４０と縫製されるようにすることが望ましいものである。
【００３１】
一方、前記ベンド掛け７０は、背中支えシート２０のシートクッション２２の中央に上、下で頭支えパッド２２ａを形成し、その両側で複数の掛け金７１が上、下方向で多段でなされるベンド掛け７０を形成することで、乳児や子供の体形による安全ベルト５０の高さ調節が可能にさせたものである。
【００３２】
この時、前記頭支えパッド２２ａにもクッション材を内蔵するものであり、その頭支えパッド２２ａの左、右幅は乳児や子供の平均首の厚さを勘案して１００ｍｍ〜１２０ｍｍの範囲で形成し、その両側にベンド掛け７０が位置されるようにすることが望ましいものである。
【００３３】
そして、前記掛け金７１は、折畳み可能な形態で背中支えシート２０に縫製された状態で横長方向に長く切開されられたスロットホール２４を通じて掛け金７１が露出するか、またはその内側で隠して使用できるようにすることが望ましいものであり、このために図１１に示されたように掛け金７１を掛けがねバンド７１ａにかけて背中支えシート２０を構成するベース布２０ａに縫製した後蓋布２０ｂで覆って縫製することで、掛け金７１が背中支えシート２０の内部に縫製されるようにすることで掛け金が折畳みされる構造を有するようにできるようにしたものである。
【００３４】
また、ベンド掛け７０の構造を複数の掛け金７１を上、下垂直で配列しながらそれぞれの掛け金７１を固定している掛けがねバンド７１ａを補強バンド８０の縦バンド８２、すなわち背中支えシート２０に縫製される縦バンド８２と共に縫製することで、安全ベルト５０を掛け金７１にかけて固定すれば安全ベルト５０が縦バンド８２に連結されるために、安全ベルト５０に衝撃による荷重が発生する場合に縦バンド８２が安全ベルト５０を支持しながら衝撃を分散させることができるようになるものである。
【産業上の利用可能性】
【００３５】
以上説明したように、本発明によれば、常時自動車の座席シートにシートカバーを装着して通いながら必要時ごとに乳児用カーシートで使用するようにすることで乗り心地を高めて、乳児用カーシートを別に装着するか、または分解する煩わしさを解決することができるし、このような構造及び装着構造が簡単で製作及び使用が便利なだけでなく、解体して保管する場合にも嵩が小さくて保管が容易なものである。
また、自動車座席を広く活用することができるし、タクシーのような大衆交通にも常時装着して通うことができるので、事故時に乳児や子供を安全に保護することができるものである。
【図１】
2015521130.tif 000003
【図２】
2015521130.tif 000004
【図３】
2015521130.tif 000005
【図４】
2015521130.tif 000006
【図５】
2015521130.tif 000007
【図６】
2015521130.tif 000008
【図７】
2015521130.tif 000009
【図８】
2015521130.tif 000010
【図９】
2015521130.tif 000011
【図１０】
2015521130.tif 000012
【図１１】
2015521130.tif 000013
【図１２】
2015521130.tif 000014
【図１３】
2015521130.tif 000015
【国際調査報告】
2015521130.tif 000016
2015521130.tif 000017
2015521130.tif 000018
2015521130.tif 000019